(57)【要約】【課題】放電電極から放電された電荷の一部が、静電式空気清浄機のユニットの外部に漏れることを抑えることで製品の外殻部材の帯電を防ぎ、製品の外殻部材の表面が汚れにくい静電式空気清浄機を提供すること。【解決手段】針状の放電極１の針先端１２と、絶縁性カバー１０の開口１１の縁部１３とを結ぶ直線上に、対向放電極同士を連結する導電体８の端面１４を配置することにより、針状の放電極１から、対向放電極同士を連結する導電体８の端面１４への直接的な放電を絶縁性カバー１０の開口縁部１３で遮蔽するとともに、電気空気清浄機ユニット３の外部に漏れようとする電荷を、対向放電極同士を連結する導電体８の端面１４で吸収することとなる。【選択図】図２
2006057863.tif 000002
【特許請求の範囲】
【請求項１】
針状の放電極と対向放電極とを設け、これらの放電極間に高電圧を印加し、前記放電極間を通過する空気中に含んだホコリに帯電させる構成を複数個持ち、複数個存在する前記放電極同士を連結する導電体と、前記導電体を覆いこむ絶縁性のカバーとを備える静電式空気清浄機において、前記絶縁性カバーの一部に開口を設け、前記針状の放電極の針先端と、前記絶縁性カバーの開口の縁部とを結ぶ直線上に、前記放電極同士を連結する導電体の端面を配置することを特徴とする静電式空気清浄機。
【請求項２】
針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き絶縁性のチューブで覆うことを特徴とする静電式空気清浄機。
【請求項３】
針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き樹脂性の板材で囲うことを特徴とする静電式空気清浄機。
【発明の詳細な説明】
【技術分野】
【０００１】
本発明は、針状の電極を有し静電式の集塵を行う静電式空気清浄機に関するものである。
【背景技術】
【０００２】
図５は、従来の静電式空気清浄機の例を示す図である。
【０００３】
従来、この種の静電式空気清浄機においては、図５に示すように、針状の放電極１と対向放電極２とを設け、これらの放電極間に高電圧を印加して、コロナ放電を放出することにより、空気中の粉塵に帯電させ、集塵することで、室内の空気を浄化するものであった（例えば、特許文献１参照）。
【特許文献１】実公平４−４０７４５号公報
【発明の開示】
【発明が解決しようとする課題】
【０００４】
しかしながら、図５に示すように、針状電極１から放出された電荷は、主に対向電極２に向かって放出され、電極間を通過する空気中の粉塵を帯電させるが、一部の電荷は電気空気清浄機のユニット３の外部に漏れ、製品の外殻部材、例えばパネル４や天面格子５に吸収され、それらを帯電させてしまう。そして、帯電したパネル４や天面格子５は、空気中の粉塵を吸着することとなり、短期間の運転にも関わらず、すぐ表面が汚れてしまうという課題を有していた。
【０００５】
本発明は、前記従来の課題を解決するもので、静電式空気清浄機の外部に漏れる電荷を抑え、製品の外殻部材の表面が汚れにくい静電式空気清浄機を提供することを目的とする。
【課題を解決するための手段】
【０００６】
前記従来の課題を解決するために、本発明の静電式空気清浄機は、針状の放電極と対向放電極とを設け、これらの放電極間に高電圧を印加し、前記放電極間を通過する空気中に含んだホコリに帯電させる構成を複数個持ち、複数個存在する前記放電極同士を連結する導電体と、前記導電体を覆いこむ絶縁性のカバーとを備える静電式空気清浄機において、前記絶縁性カバーの一部に開口を設け、前記針状の放電極の針先端と、前記絶縁性カバーの開口の縁部とを結ぶ直線上に、前記放電極同士を連結する導電体の端面を配置する構成としたものである。
【０００７】
これによって、針状の放電極から、放電極同士を連結する導電体の端面への直接的な放電を絶縁性カバーの開口縁部で遮蔽するとともに、静電式空気清浄機のユニット外部に漏れようとする電荷を、前記放電極同士を連結する導電体の端面で吸収することとなる。
【０００８】
また、本発明の静電式空気清浄機は、針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き絶縁性のチューブで覆う構成としたものである。
【０００９】
これによって、針状放電極の先端以外の部分から放出される電荷の発生を抑えることとなり、静電式空気清浄機のユニット外部に漏れる電荷の量が少なくなることとなる。
【００１０】
また、本発明の静電式空気清浄機は、針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き樹脂性の板材で囲う構成としたものである。
【００１１】
これによって、針状放電極の先端以外の部分から放出される電荷の発生を抑えることとなり、静電式空気清浄機のユニット外部に漏れる電荷の量が少なくなることとなる。
【発明の効果】
【００１２】
本発明の静電式空気清浄機は、静電式空気清浄機の外部に漏れる電荷を抑え、製品の外殻部材の表面が汚れにくい静電式空気清浄機を提供することができる。
【発明を実施するための最良の形態】
【００１３】
第１の発明は、針状の放電極と対向放電極とを設け、これらの放電極間に高電圧を印加し、前記放電極間を通過する空気中に含んだホコリに帯電させる構成を複数個持ち、複数個存在する前記放電極同士を連結する導電体と、前記導電体を覆いこむ絶縁性のカバーとを備える静電式空気清浄機において、前記絶縁性カバーの一部に開口を設け、前記針状の放電極の針先端と、前記絶縁性カバーの開口の縁部とを結ぶ直線上に、前記放電極同士を連結する導電体の端面を配置する構成とすることにより、針状の放電極から、放電極同士を連結する導電体の端面への直接的な放電を絶縁性カバーの開口縁部で遮蔽するとともに、静電式空気清浄機のユニット外部に漏れようとする電荷を、前記放電極同士を連結する導電体の端面で吸収することとなり、本発明の静電式空気清浄機は、静電式空気清浄機の外部に漏れる電荷を抑え、製品の外殻部材の表面が汚れにくい静電式空気清浄機を提供することができる。
【００１４】
第２の発明は、針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き絶縁性のチューブで覆う構成とすることにより、針状放電極の先端以外の部分から放出される電荷の発生を抑えることとなり、静電式空気清浄機のユニット外部に漏れる電荷の量が少なくなることとなり、本発明の静電式空気清浄機は、静電式空気清浄機の外部に漏れる電荷を抑え、製品の外殻部材の表面が汚れにくい静電式空気清浄機を提供することができる。
【００１５】
第３の発明は、針状の放電極と対向放電極とを設け、これらの放電極間に高電圧を印加し、前記放電極間を通過する空気中に含んだホコリに帯電させる構成を複数個持ち、複数個存在する前記針状放電極同士を連結する導電体と、前記導電体を覆いこむ絶縁性のカバーとを備える静電式空気清浄機において、前記針状の放電極を針の先端部を除き樹脂性の板材で囲う構成とすることにより、針状放電極の先端以外の部分から放出される電荷の発生を抑えることとなり、静電式空気清浄機のユニット外部に漏れる電荷の量が少なくなることとなり、本発明の静電式空気清浄機は、静電式空気清浄機の外部に漏れる電荷を抑え、製品の外殻部材の表面が汚れにくい静電式空気清浄機を提供することができる。
【００１６】
以下、本発明の実施の形態について、図面を参照しながら説明する。
【００１７】
（実施の形態１）
図１は、本発明の第１の実施の形態における静電式空気清浄機の模式図を示すものである。
【００１８】
図１において、針状の放電極１と対向放電極２とを設け、これらの放電極間に高電圧発生装置６により高電圧を印加し、針状放電極１と対向放電極２間に粉塵を含んだ空気を通過させ、この様なユニットを複数個設ける。複数個存在する針状電極１同士を連結する導電体７と、複数個存在する対向電極２同士を連結する導電体８とを設け、導電体７と導電体８のそれぞれを覆いこむ絶縁性カバー９および、絶縁性カバー１０を設ける。絶縁性カバー１０の一部に開口１１を設けるものとする。上記で説明した針状の放電極１と対向放電極２と、導電体７と導電体８を覆いこむ絶縁性カバー９および、絶縁性カバー１０とは静電式空気清浄機ユニット３の内部に収納されている。
【００１９】
図２は、図１の矢印Ａの方向から見た本発明の第１の実施の形態における静電式空気清浄機の断面図を示すものである。
【００２０】
図２において、針状の放電極１の針先端１２と、絶縁性カバー１０の開口１１の縁部１３とを結ぶ直線Ｘ上に、対向放電極同士を連結する導電体８の端面１４を配置する構成をしている。
【００２１】
以上のように構成された静電式空気清浄機について、以下その動作、作用を説明する。
【００２２】
針状の放電極１から、対向放電極同士を連結する導電体８の端面１４への直接的な放電を絶縁性カバー１０の開口縁部１３で遮蔽するとともに、静電式空気清浄機ユニット３の外部に漏れようとする電荷を、対向放電極同士を連結する導電体８の端面１４で吸収することとなり、静電式空気清浄機の外部に漏れる電荷を抑え、製品の外殻部材の表面が汚れにくい静電式空気清浄機を提供することができる。
【００２３】
（実施の形態２）
図３は、図１の矢印Ａの方向から見た、本発明の第２の実施の形態における静電式空気清浄機の断面図を示すものである。
【００２４】
図３において、針状の放電極１を針の先端部１２を除き絶縁性のチューブ１５で覆う構成をしている。ここで、実施の形態１と同一構成要素には同一符号を付与して説明を省略する。
【００２５】
以上のように構成された静電式空気清浄機について、以下その動作、作用を説明する。
【００２６】
針状放電極１からは、先端１２から電荷を放出するが、先端１２以外の部分からもわずかながら電荷が放出され、そのため静電式空気清浄機のユニット３の外部に漏れるが、針状の放電極１の先端部１２を除き絶縁性のチューブ１５で覆うことにより、先端部１２以外から放出される電荷の発生を抑えることとなり、静電式空気清浄機のユニット３外部に漏れる電荷の量が少なくすることが可能となり、静電式空気清浄機の外部に漏れる電荷を抑え、製品の外殻部材の表面が汚れにくい静電式空気清浄機を提供することができる。
【００２７】
（実施の形態３）
図４は、図１の矢印Ａの方向から見た、本発明の第３の実施の形態における静電式空気清浄機の断面図を示すものである。
【００２８】
図４において、針状の放電極１を針の先端部１２を除き樹脂性の板材１６で囲うものである。ここで、実施の形態１と同一構成要素には同一符号を付与して説明を省略する。
【００２９】
以上のように構成された静電式空気清浄機について、以下その動作、作用を説明する。
【００３０】
針状放電極１からは、先端１２から電荷を放出するが、先端１２以外の部分からもわずかながら電荷が放出され、そのため静電式空気清浄機のユニット３の外部に漏れるが、針状の放電極１の先端部１２を除き、樹脂性の板材１６で覆うことにより、先端部１２以外から放出される電荷の発生を抑えることとなり、静電式空気清浄機のユニット外部に漏れる電荷の量が少なくなることとなり、本発明の静電式空気清浄機は、静電式空気清浄機の外部に漏れる電荷を抑え、製品の外殻部材の表面が汚れにくい静電式空気清浄機を提供することができる。
【産業上の利用可能性】
【００３１】
以上のように、本発明の静電式空気清浄機は、静電式空気清浄機の外部に漏れる電荷を抑え、製品の外殻部材の表面が汚れにくくすることができるので、各種の清浄機の用途にも適用できる。
【図面の簡単な説明】
【００３２】
【図１】本発明の実施の形態１における静電式空気清浄機の模式図
【図２】図１の矢印方向Ａから見た、本発明の実施の形態１における静電式空気清浄機の断面図
【図３】図１の矢印方向Ａから見た、本発明の実施の形態２における静電式空気清浄機の断面図
【図４】図１の矢印方向Ａから見た、本発明の実施の形態３における静電式空気清浄機の断面図
【図５】従来の静電式空気清浄機を示す断面図
【符号の説明】
【００３３】
１  針状放電電極
２  対向放電極
３  電気空気清浄機ユニット
４  パネル
５  天面格子
６  高電圧発生装置
７  導電体
８  導電体
９  絶縁性カバー
１０  絶縁性カバー
１１  開口
１２  針先端
１３  縁部
１４  端面
１５  絶縁性のチューブ
１６  樹脂性の板材
【図１】
2006057863.tif 000003
【図２】
2006057863.tif 000004
【図３】
2006057863.tif 000005
【図４】
2006057863.tif 000006
【図５】
2006057863.tif 000007